(57)【要約】【課題】遮光羽根の薄型化によるストッパとの当接部の潰れ（劣化）を回避して、遮光羽根のさらなる高速駆動を可能とする。【解決手段】光量調節装置は、光通過口１ａを有する基板１と、該基板に対して光通過口を開閉する方向に移動する遮光羽根３と、光通過方向視において遮光羽根よりも小さい面積を有する部材であって、遮光羽根と一体となって移動するとともに、遮光羽根の移動範囲端にて基板に形成されたストッパ部１ｄ，１ｅに当接することで該遮光羽根の移動を阻止するストッパ部材５とを有する。【選択図】図１Ａ
2008299033.tif 000002
【特許請求の範囲】
【請求項１】
光通過口を有する基板と、
該基板に対して前記光通過口を開閉する方向に移動する遮光羽根と、
光通過方向視において前記遮光羽根よりも小さい面積を有し、前記遮光羽根と一体となって移動するとともに、前記遮光羽根の移動範囲端にて前記基板に形成されたストッパ部に当接することで該遮光羽根の移動を阻止するストッパ部材とを有することを特徴とする光量調節装置。
【請求項２】
前記ストッパ部材における前記ストッパ部に当接する部分が、前記遮光羽根よりも前記ストッパ部側に突出していることを特徴とする請求項１に記載の光量調節装置。
【請求項３】
光通過口を有する基板と、
該基板に対して前記光通過口を開閉する方向に移動する遮光羽根と、
該遮光羽根に対して係合する駆動部を有し、該駆動部を介して前記遮光羽根を駆動する駆動機構と、
光通過方向視において前記遮光羽根よりも小さい面積を有し、前記遮光羽根と一体となって移動するとともに、前記遮光羽根の移動範囲端にて前記駆動部に当接することで該遮光羽根の移動を阻止するストッパ部材とを有することを特徴とする光量調節装置。
【請求項４】
前記遮光羽根は、前記駆動部が移動可能に係合する係合部を有し、
前記ストッパ部材における前記駆動部に当接する部分が、前記係合部における前記駆動部の移動方向での端よりも前記駆動部側に突出していることを特徴とする請求項１に記載の光量調節装置。
【請求項５】
光通過方向において、前記ストッパ部材の厚さが、前記遮光羽根の厚さよりも大きいことを特徴とする請求項１から４のいずれか１つに記載の光量調節装置。
【請求項６】
前記遮光羽根として第１及び第２の遮光羽根を有し、
前記ストッパ部材は、前記第１及び第２の遮光羽根の間に配置されていることを特徴とする請求項１から５のいずれか１つに記載の光量調節装置。
【請求項７】
請求項１から６のいずれか１つに記載の光量調節装置を有することを特徴とする光学機器。
【発明の詳細な説明】
【技術分野】
【０００１】
本発明は、デジタルスチルカメラ、ビデオカメラ及び交換レンズ等の光学機器に用いられるシャッタや絞り等の光量調節装置に関する。
【背景技術】
【０００２】
従来の光量調節装置では、図６及び図７に示すように、地板１０１に取り付けられた駆動源１０２により遮光羽根駆動レバー１０２ｂが駆動され、該遮光羽根駆動レバー１０２ｂに設けられた駆動軸１０２ｃにより遮光羽根１０３が開閉される。遮光羽根１０３は、地板１０１に形成された光通過用の開口１０１ａを開閉する。遮光羽根１０３が開口１０１ａを覆う位置と開放する位置、すなわち遮光羽根１０３の移動範囲端は、地板１０１に設けられたストッパ部１０１ｄ，１０１ｅに遮光羽根１０３が当接することにより決まる。
【０００３】
遮光羽根１０３に形成された穴部１０３ａには、地板１０１に形成された軸１０１ｂが係合し、遮光羽根１０３は該軸１０１ｂを中心として回動する。遮光羽根１０３は、その長溝部１０３ｂに駆動軸１０２ｃが係合することで駆動される。
【０００４】
遮光羽根１０３は、高速で地板１０１に対して回動した後、ストッパ部１０１ｄ，１０１ｅに当接することにより停止する。
【０００５】
このように、高速移動する遮光羽根を地板に設けたストッパに当接させて停止させる光量調節装置としては、特許文献１，２等に開示されている。
【特許文献１】特開２００３−０６６５０６号公報
【特許文献２】特開２００４−１８４４８５号公報
【発明の開示】
【発明が解決しようとする課題】
【０００６】
このような光量調節装置を搭載する光学機器には小型化や高画質化の要求が強く、これに伴い光量調節装置のより小型化や動作のより高速化も求められている。動作を高速化すするための１つの方法として、遮光羽根を薄くして軽量化する方法がある。
【０００７】
しかしながら、遮光羽根を薄くすると、強度が弱くなり、遮光羽根におけるストッパに当接する部分が潰れてしまう。特許文献１，２にて開示されているように、ストッパの形状や材料を工夫することで、遮光羽根におけるストッパ当接部分の潰れをある程度回避することは可能であるが、さらに遮光羽根を薄くするとこれらの対策だけでは不十分である。
【０００８】
本発明は、遮光羽根の薄型化によるストッパとの当接部の潰れ（劣化）を回避して、遮光羽根のさらなる高速駆動を可能とした光量調節装置及びこれを備えた光学機器を提供する。
【課題を解決するための手段】
【０００９】
本発明の一側面としての光量調節装置は、光通過口を有する基板と、該基板に対して光通過口を開閉する方向に移動する遮光羽根と、光通過方向視において遮光羽根よりも小さい面積を有し、遮光羽根と一体となって移動するとともに、遮光羽根の移動範囲端にて基板に形成されたストッパ部に当接することで該遮光羽根の移動を阻止するストッパ部材とを有することを特徴とする。
【００１０】
また、本発明の他の側面としての光量調節装置は、光通過口を有する基板と、該基板に対して光通過口を開閉する方向に移動する遮光羽根と、該遮光羽根に対して係合する駆動部を有し、該駆動部を介して遮光羽根を駆動する駆動機構とを有する。そして、光通過方向視において遮光羽根よりも小さい面積を有し、遮光羽根と一体となって移動するとともに、遮光羽根の移動範囲端にて駆動部に当接することで該遮光羽根の移動を阻止するストッパ部材を有することを特徴とする。
【００１１】
また、上記光量調節装置を有する光学機器も本発明の他の側面を構成する。
【発明の効果】
【００１２】
本発明によれば、遮光羽根の移動範囲端において、遮光羽根よりも小さいストッパ部材を基板に設けられたストッパ部や駆動機構の駆動部と当接させることにより遮光羽根の移動を阻止（停止）させる。これにより、薄く形成した遮光羽根の劣化を防止しつつ遮光羽根を高速駆動することができる。そして、この光量調節装置を用いることで、より良好な画質の画像が得られる光学機器を実現することができる。
【発明を実施するための最良の形態】
【００１３】
以下、本発明の好ましい実施例について図面を参照しながら説明する。
【実施例１】
【００１４】
図１Ａ及び図１Ｄには、本発明の実施例１である光量調節装置の構成を示している。また、図１Ｂには、上記光量調節装置に用いられる遮光羽根を、図１Ｃには、ストッパ部材をそれぞれ示している。また、図１Ｅは、該光量調節装置の一部の断面を示す。
【００１５】
これらの図において、１は中央に光通過口（以下、単に開口という）１ａが形成された基板としての地板である。
【００１６】
３は遮光羽根である。該遮光羽根３には、穴部３ａが形成されている。地板１には、軸部１ｂが設けられており、該軸部１ｂは、穴部３ａに挿入されている（係合している）。これにより、遮光羽根３は、地板１に対して、開口１ａを開放する位置（開放位置）と覆う位置（遮光位置）との間で、すなわち開口１ａを開閉する方向に回動（移動）可能に地板１により保持される。
【００１７】
また、地板１には、遮光羽根３の回動範囲端（移動範囲端）、すなわち開放位置と遮光位置にて該遮光羽根３を停止させるためのストッパ部１ｄ，１ｅが設けられている。
【００１８】
さらに、地板１には、羽根駆動機構における駆動源を構成するアクチュエータ２が取り付けられている。アクチュエータ２としては、ステッピングモータ等を用いることができる。羽根駆動機構は、上記アクチュエータ２と、駆動軸部（駆動部）２ｃを備えた駆動レバー２ｂとにより構成されている。駆動レバー２ｂは、アクチュエータ２の出力軸２ａに対して圧入等によって固定されている。
【００１９】
駆動軸部２ｃは、遮光羽根３に形成された長溝部（係合部）３ｂに挿入され、該長溝部３ｂに係合している。これにより、アクチュエータ２の作動によって駆動レバー２ｂが出力軸２ａとともに回動すると、駆動軸部２ｃを介して遮光羽根３が軸部１ｂ回りで回動する。このとき、駆動軸部２ｃは、長溝部３ｂ内でその長手方向に移動する。
【００２０】
５はストッパ部材である。該ストッパ部材５は、遮光羽根３の裏側又は表側に重ねられて遮光羽根３と一体となって回動するように遮光羽根３に接着等により固定されている。ストッパ部材５には、遮光羽根３の穴部３ａと重なる穴部５ａが形成されており、該穴部５ａにも地板１に設けられた軸部１ｂが挿入されている（係合している）。さらに、ストッパ部材５には、遮光羽根３の長溝部３ｂと重なる長溝部５ｂが形成されており、該長溝部５ｂにも駆動レバー２ｂに設けられた駆動軸部２ｃが挿入されている（係合している）。
【００２１】
ストッパ部材５は、遮光羽根３が開放位置に回動したときに、その当接部（当接する部分）５ｄが地板１に設けられたストッパ部１ｄと当接することで該遮光羽根３及び駆動レバー２ｂのそれ以上の回動を阻止する（回動を停止させる）。また、ストッパ部材５は、遮光羽根３が遮光位置に回動したときに、その当接部（当接する部分）５ｅが地板１に設けられたストッパ部１ｅと当接することで該遮光羽根３及び駆動レバー２ｂのそれ以上の回動を阻止する。
【００２２】
７は地板１に対する遮光羽根３の脱落を防止するために、遮光羽根３における地板１とは反対側を覆うカバー板である。該カバー板７にも、地板１の開口１ａに対応する図示しない光通過口が形成されている。
【００２３】
次に、上記光量調節装置の動作について説明する。図１Ａは、遮光羽根３が開口１ａに対して退避する開放位置にて停止している状態を示す。この状態では、ストッパ部材５の当接部５ｄがストッパ部１ｄに当接し、アクチュエータ１の保持力（ステッピングモータのディテントトルク等）で開放状態を維持している。
【００２４】
この状態からアクチュエータ２を起動して駆動レバー２ｂを時計回り方向に回動させると、駆動軸部２ｃが長溝部３ｂ，５ｂを介して遮光羽根３及びストッパ部材５を一体として軸部１ｂ回りで反時計回り方向に回動させる。そして、遮光羽根３が、遮光位置に到達すると、ストッパ部材５の当接部５ｅがストッパ部１ｅに当接して遮光羽根３及びストッパ部材５の回動を停止させる。
【００２５】
この状態から、アクチュエータ２を逆転起動して駆動レバー２ｂを反時計回り方向に回動させると、駆動軸部２ｃが長溝部３ｂ，５ｂを介して遮光羽根３及びストッパ部材５を一体として軸部１ｂ回りで時計回り方向に回動させる。そして、遮光羽根３が、開放位置に到達すると、ストッパ部材５の当接部５ｄがストッパ部１ｄに当接して遮光羽根３及びストッパ部材５の回動を停止させる。
【００２６】
ここで、図１Ａに示すように、光量調節装置を開口１ａを光が通過する方向から見たとき（すなわち、光通過方向視において）、ストッパ部材５の面積は、遮光羽根３のそれよりも小さく、例えば遮光羽根３の面積の半分以下である。なお、光通過方向視とは、開口１ａの中心軸Ｏの方向から見たとき（中心軸方向視において）、と言い換えることができる。中心軸Ｏは、この光量調節装置がカメラや交換レンズ等の光学機器の撮像光学系内に組み込まれた場合には、該光学系の光軸に一致する。
【００２７】
一方、遮光羽根３は、上記中心軸方向において、プラスチック等の材料によって薄く（例えば、４１μｍ）形成されている。これに対し、ストッパ部材５は、プラスチック等の材料によって形成され、その厚さは遮光羽根３のそれよりも大きい（例えば、５６μｍ）。
【００２８】
このため、ストッパ部材５は、遮光羽根３に比べて、軸部１ｂ回りの慣性モーメントが小さくなるように、かつストッパ部１ｄ，１ｅとの当接に対する強度が高くなるように形成されている。
【００２９】
図６及び図７に示した従来の光量調節装置のように、高速動作を目的として単に遮光羽根１０３を薄くすると、以下のような問題が生じる。すなわち、ストッパ部１０１ｄ，１０１ｅと当接した薄い遮光羽根１０３で、アクチュエータ１０２、駆動レバー１０２ｂ及び遮光羽根１０３自体の慣性力を受け止めることになり、遮光羽根１０３におけるストッパ部との当接端面が潰れる等の障害が生じる。
【００３０】
これに対し、本実施例では、ストッパ部材５がストッパ部１ｄ，１ｅに当接することによって、該ストッパ部材５でアクチュエータ２及び駆動レバー２ｂの慣性力を受け止めることができる。このため、遮光羽根３としては、薄く軽い部材を採用することができる。
【００３１】
なお、上記実施例では、ストッパ部材５の当接部５ｄ，５ｅと遮光羽根３の端面とが一致し、両者が同時にストッパ部１ｄ，１ｅに当接するようになっている。
【００３２】
しかし、部品の製造誤差や組み立て誤差等のばらつきによって遮光羽根３の端面がストッパ部材５の当接部５ｄ，５ｅよりもストッパ部側に突出していると、遮光羽根３の端面が先にストッパ部１ｄ，１ｅに当接するおそれがある。
【００３３】
そこで、図３Ａ〜図３Ｄに示すように、ストッパ部材５の当接部５ｄ，５ｅを意図的に遮光羽根３の端面よりストッパ部側に突出させ、確実に遮光羽根３の端面より先にストッパ部材５の当接部５ｄ，５ｅがストッパ部１ｄ，１ｅに当接するようにしてもよい。図３Ｂに示す例では、図１Ｂに示した遮光羽根３に比べて、ストッパ部１ｄ，１ｅに接近する部分３ｄ，３ｅを内側に退避させた形状を有する。
【００３４】
これにより、ストッパ部材５の当接部５ｄ，５ｅがストッパ部１ｄ，１ｅに当接した状態では、遮光羽根３の端面とストッパ部１ｄ，１ｅとの間にギャップ（ＧＡＰ１，ＧＡＰ２）が必ず形成される。このため、遮光羽根３の端面がストッパ部に対して直接当接することを確実に回避できる。
【実施例２】
【００３５】
図２Ａ及び図２Ｄには、本発明の実施例２である光量調節装置の構成を示している。また、図２Ｂには、上記光量調節装置に用いられる遮光羽根を、図２Ｃには、ストッパ部材をそれぞれ示している。
【００３６】
なお、本実施例の光量調節装置のストッパ部材を除く他の構成は、実施例１と同じである。このため、実施例１と共通する構成要素には、実施例１と同符号を付して説明に代える。
【００３７】
実施例１では、ストッパ部材５の端面としての当接部５ｄ，５ｅを、地板１に設けられたストッパ部１ｄ，１ｅに当接して遮光羽根３の回動を停止させた。これに対し、本実施例では、以下のようにストッパ部材６を構成している。
【００３８】
ストッパ部材６は、遮光羽根３の裏側又は表側に重ねられて遮光羽根３と一体となって回動するように遮光羽根３に接着等により固定されている。ストッパ部材６には、遮光羽根３の穴部３ａと重なる穴部６ａが形成されており、該穴部３ａ，６ａには地板１に設けられた軸部１ｂが挿入されている（係合している）。さらに、ストッパ部材６には、遮光羽根３の長溝部３ｂと概ね重なる長溝部６ｂが形成されており、該長溝部３ｂ，６ｂには、駆動レバー２ｂに設けられた駆動軸部２ｃが挿入されている（係合している）。
【００３９】
ここで、アクチュエータ２が動作すると、実施例１にて説明したように遮光羽根３が軸部１ｂ回りで回動するが、このとき駆動軸部２ｃは長溝部３ｂ，６ｂ内を溝長方向（長手方向）に移動する。すなわち、駆動軸部２ｃは、長溝部３ｂ，６ｂに対してその溝長方向に移動可能に係合している。
【００４０】
遮光羽根３に形成された長溝部３ｂの長手方向両側の内端面３ｂ１，３ｂ２は、ストッパ部材６に形成された長溝部６ｂの長手方向両側の内端面６ｂ１，６ｂ２に対して、外側、つまりは駆動軸部２ｃ側（駆動部側）とは反対側に退避している。逆に言えば、ストッパ部材６の長溝部６ｂの長手方向（駆動軸部２ｃの移動方向）における両側の内端面６ｂ１，６ｂ２は、遮光羽根３の長溝部３ｂの長手方向における両側の内端面３ｂ１，３ｂ２よりも内側、つまりは駆動軸部２ｃ側（駆動部側）に突出している。
【００４１】
そして本実施例では、ストッパ部材６の長溝部６ｂの内端面（両端面）６ｂ１，６ｂ２が、駆動軸部２ｃに当接することによって、遮光羽根３を開放位置と遮光位置とに停止させる。このため、ストッパ部材６でアクチュエータ２及び駆動レバー２ｂの慣性力を受け止めることができる。このため、遮光羽根３としては、薄く軽い部材を採用することができる。
【００４２】
しかも、本実施例のストッパ部材６は、実施例１のストッパ部材５のように、軸部１ｂ及び駆動軸部２ｃに係合する部分から離れた位置まで延びる当接部５ｄ，５ｅを設けなくてもよい。したがって、光通過方向視におけるストッパ部材６の面積を、実施例１のストッパ部材６の面積よりもさらに小さくすることができる。
【００４３】
なお、図２Ａ及び図２Ｂに示す地板１には、実施例１にて説明したストッパ部１ｄ，１ｅは設けられていないが、遮光羽根３の慣性力を受け止めるために、ストッパ部１ｄ，１ｅを設けてもよい。
【実施例３】
【００４４】
図４Ａ及び図４Ｄには、本発明の実施例３である光量調節装置の構成を示している。また、図４Ｂには、上記光量調節装置に用いられる遮光羽根を、図４Ｃには、ストッパ部材をそれぞれ示している。
【００４５】
なお、本実施例において、実施例１と共通する構成要素には、実施例１と同符号を付して説明に代える。
【００４６】
本実施例では、１つのアクチュエータ２により複数の遮光羽根（第１及び第２の遮光羽根）３，４を駆動する。遮光羽根４には、遮光羽根３と同様に、穴部４ａが形成され、該穴部４ａには、地板１に設けられた軸部１ｃが挿入されている（係合している）。軸部１ｃは、駆動レバー２ｂの駆動軸部２ｃを挟んで軸部１ｂとは反対側に設けられている。
【００４７】
また、遮光羽根４には、遮光羽根３と同様に、長溝部４ｂが形成され、該長溝部４ｂには、駆動軸部２ｃが挿入されている（係合している）。これにより、アクチュエータ２の作動によって駆動レバー２ｂが出力軸２ａとともに回動すると、駆動軸部２ｃを介して遮光羽根３，４がそれぞれ軸部１ｂ，１ｃ回りで互いに反対方向に回動する。このとき、駆動軸部２ｃは、長溝部３ｂ内でその長手方向に移動する。
【００４８】
そして、本実施例では、実施例１と同様の形状を有し、地板１に設けられたストッパ部１ｄ，１ｅに当接する当接部５ｄ，５ｅを有するストッパ部材５が用いられる。ストッパ部材５は、２つの遮光羽根３，４の間に配置され、図４Ｅに示すように遮光羽根３に接着等により固定されている。
【００４９】
ストッパ部材５は、実施例１と同様に、ストッパ部１ｄ，１ｅに当接することで、アクチュエータ２、駆動レバー２ｂ及び遮光羽根３，４の慣性力を受け止める役割を有する。しかも、ストッパ部材５は、２つの遮光羽根３，４の間に配置されることで、遮光羽根３，４同士の摺動摩擦を軽減し、遮光羽根３，４の高速作動をよりスムーズかつ低負荷で行わせる役割も有する。
【００５０】
また、本実施例のように２つの遮光羽根を有する光量調節装置に、実施例２で説明したストッパ部材６を用いてもよい。
【００５１】
さらに、本実施例では、２枚の遮光羽根を用いる場合について説明したが、複数の遮光羽根の枚数は２枚に限らない。
【実施例４】
【００５２】
図５には、上述した各実施例の光量調節装置を搭載したデジタルスチルカメラ（光学機器）を示す。
【００５３】
カメラ２１０は、鏡筒ユニット２０２を有する。該鏡筒ユニット２０２内には、撮像光学系の一部として光量調節装置２００が組み込まれている。
【００５４】
光量調節装置２００を含む撮像光学系を通った被写体からの光束は、撮像素子２０３の受光面上に被写体像を形成する。ＣＣＤセンサやＣＭＯＳセンサ等により構成される撮像素子２０３は被写体像を光電変換し、該撮像素子２０３からの出力信号を処理することで画像が生成される。
【００５５】
撮像に際して、光量調節装置２００が高速で開閉動作（シャッタ動作）することで、高画質の画像を得ることができる。
【００５６】
なお、上記各実施例の光量調節装置は、ビデオカメラや交換レンズ等の光学機器にも搭載することができる。
【００５７】
また、上記各実施例において説明したストッパ部材の形状は例に過ぎず、請求項の記載範囲に含まれるストッパ部材であれば、他の形状を有してもよい。
【図面の簡単な説明】
【００５８】
【図１Ａ】本発明の実施例１である光量調節装置（開放状態）の構成を示す正面図。
【図１Ｂ】実施例１の光量調節装置に用いられる遮光羽根を示す正面図。
【図１Ｃ】実施例１の光量調節装置に用いられるストッパ部材を示す正面図。
【図１Ｄ】実施例１の光量調節装置（遮光状態）の構成を示す正面図。
【図１Ｅ】実施例１の光量調節装置の構成を示す部分断面図。
【図２Ａ】本発明の実施例１である光量調節装置（開放状態）の構成を示す正面図。
【図２Ｂ】実施例２の光量調節装置に用いられる遮光羽根を示す正面図。
【図２Ｃ】実施例２の光量調節装置に用いられるストッパ部材を示す正面図。
【図２Ｄ】実施例１の光量調節装置（遮光状態）の構成を示す正面図。
【図３Ａ】実施例１の変形例である光量調節装置（開放状態）の構成を示す正面図。
【図３Ｂ】該変形例の光量調節装置に用いられる遮光羽根を示す正面図。
【図３Ｃ】該変形例の光量調節装置に用いられるストッパ部材を示す正面図。
【図３Ｄ】該変形例の光量調節装置（遮光状態）の構成を示す正面図。
【図４Ａ】本発明の実施例３である光量調節装置（開放状態）の構成を示す正面図。
【図４Ｂ】実施例３の光量調節装置に用いられる遮光羽根を示す正面図。
【図４Ｃ】実施例３の光量調節装置に用いられるストッパ部材を示す正面図。
【図４Ｄ】実施例３の光量調節装置（遮光状態）の構成を示す正面図。
【図４Ｅ】実施例３の光量調節装置の構成を示す部分断面図。
【図５】実施例の光量調節装置を備えたカメラの概略断面図。
【図６】従来の光量調節装置を示す正面図。
【図７】従来の光量調節装置を示す断面図。
【符号の説明】
【００５９】
１  地板
１ａ  開口
１ｂ，１ｃ  軸部
１ｄ，１ｅ  ストッパ部
２  アクチュエータ
２ｂ  駆動レバー
２ｃ  駆動軸部
３，４  遮光羽根
３ｂ，４ｂ  長溝部
５，６  ストッパ部材
７ カバー板
２００    光量調節装置
２０１    カメラ
２０２    鏡筒ユニット
２０３    撮像素子
【図１Ａ】
2008299033.tif 000003
【図１Ｂ】
2008299033.tif 000004
【図１Ｃ】
2008299033.tif 000005
【図１Ｄ】
2008299033.tif 000006
【図１Ｅ】
2008299033.tif 000007
【図２Ａ】
2008299033.tif 000008
【図２Ｂ】
2008299033.tif 000009
【図２Ｃ】
2008299033.tif 000010
【図２Ｄ】
2008299033.tif 000011
【図３Ａ】
2008299033.tif 000012
【図３Ｂ】
2008299033.tif 000013
【図３Ｃ】
2008299033.tif 000014
【図３Ｄ】
2008299033.tif 000015
【図４Ａ】
2008299033.tif 000016
【図４Ｂ】
2008299033.tif 000017
【図４Ｃ】
2008299033.tif 000018
【図４Ｄ】
2008299033.tif 000019
【図４Ｅ】
2008299033.tif 000020
【図５】
2008299033.tif 000021
【図６】
2008299033.tif 000022
【図７】
2008299033.tif 000023